(57)【要約】【課題】  従来のステップを退避させるにはステップはレッグレストの側面に回転した位置に移動しているだけであり、ステップは座部の前方から退くことがないので、例えば、車椅子の被施術者が車椅子から座部に、あるいは座部から車椅子に移乗する際に車椅子の移動量が限定されてしまうためにステップが邪魔になるといった問題があった。【解決手段】  シリンダ２のロッド２ｃが最下降位置の状態時に椅子本体１１を回転することでステップ６は初期位置で停止した状態で椅子本体のみが回転し、前記ロッドを上昇させると前記ステップ取付板７に対して前記椅子本体との角度が無くなった位置でロック状態となり、この状態で椅子本体を回転するとステップ取付板が椅子本体と一体的に回転すると共にロッドの上下動に伴って上下動することを特徴とする理美容椅子等のステップ装置である。【選択図】        図１
2011217843.tif 000002
【特許請求の範囲】
【請求項１】
シリンダのロッドが最下降位置の状態時に椅子本体を回転することでステップは初期位置で停止した状態で椅子本体のみが回転し、前記ロッドを上昇させると前記ステップが取付けられているステップ取付板に対して前記椅子本体との角度が無くなった位置で前記ステップ取付板に上下動自在に取付けられたロックピンが椅子本体の座部裏面側に固定されたステップ支軸の凹部に係合されロック状態となり、この状態で椅子本体を回転すると前記ロックピンと凹部との係合が解除されステップ取付板が椅子本体と一体的に回転すると共にロッドの上下動に伴って上下動することを特徴とする理美容椅子等のステップ装置。
【請求項２】
油圧シリンダの上端に固定された基台と、
椅子本体の座部裏面に固定され油圧シリンダのロッド上端が取付けられたフランジと、
該フランジの下面に固定され椅子本体の回転に伴って回転し、外周面にリング状溝が形成されると共に該リング状溝を形成する起立縁の一部に凹部が形成され、かつ、前記ロッドが挿通されステップ支軸と、
前記フランジと前記ステップ支軸との間に回転可能に介在されると共に前記ロッドが挿通されステップの上端側が取付けられたステップ取付板と、
該ステップ取付板の一部に上下動自在に軸支され、前記ロッドが最下降位置にある時は、前記ステップ支軸のリング状溝に対向して位置し、ロッドが上昇した位置ではスプリングによって下降し前記凹部に係合され前記ステップ取付板と前記ステップ支軸とを前記椅子本体を回転すると一体に回転させるロックピンと、より構成したことを特徴とする理美容椅子等のステップ装置。
【請求項３】
前記基台に形成された開口部にステップのパイプ部の左右動を防止するための中央に向かってテーパー状のステップガイドを設けたことを特徴とする請求項２記載の理美容椅子等のステップ装置。
【請求項４】
前記フランジと前記ステップ取付板との間にテーブル取付板を水平方向に介在して取付け、該テーブル取付板に起立杆の下端を固定して取付けると共に該起立杆の上端にテーブルを回転自在に取付けたことを特徴とする請求項２記載の理美容椅子等のステップ装置。
【請求項５】
前記テーブル取付板の側面に切り欠き部を形成し、かつ、前記ロックピンを前記ステップ取付板に対して頭部を有するネジで上下動可能に取付け、前記ロッドが最下降位置で前記ロックピンの下端が基台に当接して上昇した位置で前記頭部が前記切り欠き部に当接して前記テーブル取付板の回転を阻止し、また、前記ロッドが上昇して前記ロックピンが上昇すると前記頭部が前記切り欠き部から離脱して前記テーブル取付板の回転を可能としたことを特徴とする請求項４記載の理美容椅子等のステップ装置。
【発明の詳細な説明】
【技術分野】
【０００１】
本発明は、理美容院に設置される理美容椅子や歯科医院に設置される治療椅子であって、被施術者が施術中に足を載せて安楽な姿勢で施術を受けるためのステップの改良を施した理美容椅子等のステップ装置に関する。
【背景技術】
【０００２】
従来における理美容椅子におけるステップ装置としては、例えば、特開２００１−７８８５０号公報（以下、先行例１という）に開示されている発明がある。この発明の構成は、レッグレストの下端における１側部にステップを左右方向に回動可能に、かつ、ステップとして使用する位置ではレッグレストの前方に水平状態に、また、回動した退避位置ではレッグレストの側面側に９０度回動して水平状態に変移した状態となり、かつ、この２位置においてロック・アンロックを行なうためのロック手段を設けたものである。
【０００３】
その他のステップ装置としては、特開２００２−１１０５４号公報（以下、先行例２という）に開示された発明は、ステップをレッグレストの下端と平行に回動自在に取付け、ステップとして使用する位置ではレッグレストの前方に水平状態に、退避位置ではレッグレストの裏面側に回動した位置に変移した状態とり、かつ、この２位置をモータの回転力を利用して行なうものである。
【先行技術文献】
【特許文献】
【０００４】
【特許文献１】特開２００１−７８８５０号公報
【特許文献２】特開２００２−１１０５４号公報
【発明の概要】
【発明が解決しようとする課題】
【０００５】
ところで、前記した先行例１にあっては、ステップの退避位置においてステップはレッグレストの側面に回転した位置に移動しているだけであり、ステップは座部の前方から退くことがないので、例えば、車椅子の被施術者が車椅子から座部に、あるいは座部から車椅子に移乗する際に車椅子の移動量が限定されてしまうためにステップが邪魔になるといった問題があった。
【０００６】
また、前記した先行例２にあっては、ステップの出し入れを手で出し入れする場合には手間が掛かると共にステップを支持するための機構が必要となるため構造が複雑となると共に下限時およびステップよりも短い距離だけ椅子を上昇させる場合には常にステップが無い状態となり、着座者の足が宙に浮き不安定な状態になり、また、モータによってステップを動作させるにはコストが高くなるといった問題があった。
【０００７】
本発明は前記した問題点を解決せんとするもので、その目的とするところは、被施術者を着座させる際にはステップが邪魔にならないようにステップを正面に向けた状態で座部を回転して着座させ、着座後に座部を正面側に回転して被施術者の足をステップに載せて施術が行なえるようにし、被施術者はステップの無い椅子に着座するのと同様に着座が行なえ、また、車椅子からの移乗であってもステップが邪魔することなく安全に着座することができる理美容椅子等のステップ装置を提供せんとするにある。
【課題を解決するための手段】
【０００８】
本発明の理美容椅子等のステップ装置は前記した目的を達成せんとするもので、請求項１の手段は、シリンダのロッドが最下降位置の状態時に椅子本体を回転することでステップは初期位置で停止した状態で椅子本体のみが回転し、前記ロッドを上昇させると前記ステップが取付けられているステップ取付板に対して前記椅子本体との角度が無くなった位置で前記ステップ取付板に上下動自在に取付けられたロックピンが椅子本体の座部裏面側に固定されたステップ支軸の凹部に係合されロック状態となり、この状態で椅子本体を回転すると前記ロックピンと凹部との係合が解除されステップ取付板が椅子本体と一体的に回転すると共にロッドの上下動に伴って上下動することを特徴とする。
【０００９】
請求項２の手段は、シリンダの上端に固定された基台と、椅子本体の座部裏面に固定されシリンダのロッド上端が取付けられたフランジと、該フランジの下面に固定され椅子本体の回転に伴って回転し、外周面にリング状溝が形成されると共に該リング状溝を形成する起立縁の一部に凹部が形成され、かつ、前記ロッドが挿通されステップ支軸と、前記フランジと前記ステップ支軸との間に回転可能に介在されると共に前記ロッドが挿通されステップの上端側が取付けられたステップ取付板と、該ステップ取付板の一部に上下動自在に軸支され、前記ロッドが最下降位置にある時は、前記ステップ支軸のリング状溝に対向して位置し、ロッドが上昇した位置ではスプリングによって下降し前記凹部に係合され前記ステップ取付板と前記ステップ支軸とを前記椅子本体を回転すると一体に回転させるロックピンとより構成したことを特徴とする。
【００１０】
請求項３の手段は、前記した請求項２において、前記基台に形成された開口部にステップのパイプ部の左右動を防止するための中央に向かってテーパー状のステップガイドを設けたことを特徴とする。
【００１１】
請求項４の手段は、前記した請求項２において、前記フランジと前記ステップ取付板との間にテーブル取付板を水平方向に回転自在に介在して取付け、該テーブル取付板に起立杆の下端を固定して取付けると共に該起立杆の上端にテーブルを回転自在に取付けたことを特徴とする。
【００１２】
請求項５の手段は、前記した請求項４において、前記テーブル取付板の側面に切り欠き部を形成し、かつ、前記ロックピンを前記ステップ取付板に対して頭部を有するネジで上下動可能に取付け、前記ロッドが最下降位置で前記ロックピンの下端が基台に当接して上昇した位置で前記頭部が前記切り欠き部に当接して前記テーブル取付板の回転を阻止し、また、前記ロッドが上昇して前記ロックピンが上昇すると前記頭部が前記切り欠き部から離脱して前記テーブル取付板の回転を可能としたことを特徴とする。
【発明の効果】
【００１３】
本発明は前記したように、被施術者を着座させる際にはステップが邪魔にならないようにステップを正面に向けた状態で座部を回転して着座させ、着座後に座部を正面側に回転して被施術者の足をステップに載せて施術が行なえるようにし、被施術者はステップの無い椅子に着座するのと同様に着座が行なえ、また、車椅子からの移乗であってもステップが邪魔することなく安全に着座することができ、また、椅子本体の座部とステップとが離開した状態においてフットバスの設置が可能であることから、被施術者がフットバスに足を入れることでマッサージや血行を良くすることが可能となり健康上も有効なものである。
【００１４】
また、基台に形成された開口部にステップのパイプ部の左右動を防止するための中央に向かってテーパー状のステップガイドを設けたことにより、椅子本体が最下降位置において回転させてもステップの左右動が防止されることで、ステップは常に正面の方向、理美容院などでは鏡方向に向かった状態となる。
【００１５】
また、前記フランジと前記ステップ取付板との間にテーブル取付板を水平方向に回転自在に介在して取付け、該テーブル取付板に起立杆の下端を固定して取付けると共に該起立杆の上端にテーブルを回転自在に取付けることで、被施術者がテーブルに手をおくことでネールアートの施術を受けることができる。
【００１６】
さらに、ロッドが最下降位置ではロックピンがテーブル取付板の切り欠き部に係合してロック状態となることでテーブル取付板の回転を防止することから、被施術者が着座する際にテーブルに手を付いてもテーブル取付板が回転することがないので安全に着座することが可能となり、また、ロッドが上昇すると前記ロックピンがテーブル取付板の切り欠き部に係合が解除されテーブル取付板の回転が可能となるので、テーブルの被施術者との距離調整およびテーブルの自転と相まってネールアート時にテーブルに手を載せてのネールアートの施術がより行い易くなる等の効果を有するものである。
【図面の簡単な説明】
【００１７】
【図１】本発明に係る理美容椅子等のステップ装置の一実施例を示す分解斜視図である。
【図２】椅子本体を最下降位置に下降した状態の断面図である。
【図３】図２における椅子本体の要部を示す拡大断面図である。
【図４】椅子本体を最下降した状態の正面図である。
【図５】椅子本体の上昇途中を示す断面図である。
【図６】図５における椅子本体の要部を示す拡大断面図である。
【図７】椅子本体の上昇途中を示す正面図である。
【図８】椅子本体を回転した状態を示す斜視図である。
【図９】図１においてテーブルを備えた場合の分解斜視図である。
【図１０】図９において椅子本体が最下降位置まで低下した状態を示す正面図である。
【図１１】図１０における要部の拡大断面図である。
【図１２】図１１の要部の分解斜視図である。
【発明を実施するための形態】
【００１８】
以下、本発明に係る理美容椅子等のステップ装置の一実施例を図１〜図８と共に説明する。
図１は分解斜視図にして、１は脚台にして、中央に足踏み式の油圧シリンダ２が固定されている。この油圧シリンダ２は公知の構造であって、ペダル２ａを踏み込むことで油がシリンダ２ｂ内に注入されロッド２ｃが上方に上昇し、ペダル２ａを最下降位置まで踏み込むとロッド２ｃが最下降位置まで下降し、また、ペダル２ａを上方に蹴上げることでロッド２ｃの回転が阻止される構造となっている。
【００１９】
３は前記油圧シリンダ２のシリンダ２ｂの上面に固定された箱状の基台にして、中央部には前記油圧シリンダ２のロッド２ｃが挿通可能な孔３ａが開口されており、また、基台３の一辺に開口部３ｂが形成されており、該開口部３ｂには後述するステップ６のパイプ部６ａの左右動を防止するための中央に向かってテーパー状のステップガイド４が取付けられている。
【００２０】
５は前記油圧シリンダ２のロッド２ｃが挿通可能なリング状に形成されたステップ支軸にして、外周面にはリング状溝５ａが形成されると共に該リング状溝５ａを形成するための起立縁の一部には円弧状の凹部５ｂが形成されている（図３、図６参照）。なお、凹部５ｂはステップ支軸５を後述するフランジ１０にネジ５ｃによって固定した状態において後述するステップ６の真後ろに位置するように固定される。
【００２１】
６は被施術者が座部１１ａに腰掛けた実施例において足を載せるためのステップにして、パイプ部６ａの上端にはステップ取付板７が取付けられ、下端には足載せ台６ｂが取付けられている。前記ステップ取付板７には油圧シリンダ２のロッド２ｃが挿通される孔７ａと、ロックピン８が挿通される小孔７ｂが開口されている。
【００２２】
前記ロックピン８は上端側が前記小孔７ｂ内に挿通され、ステップ取付板７の上面においてリング溝８ａに止め輪８ｂを係合することで抜け止めされると共にステップ取付板７の裏面とロックピン８のリング状突条部８ｃとの間にスプリング９が介在され、該スプリング９のバネ力によって常時下方にバネ付勢されている。また、ロックピン８のリング状突条部８ｃは前記ステップ支軸５のリング状溝５ａおよび切り欠け５ｂに選択的に係合される。
【００２３】
１０は椅子本体１１の座部１１ｂの裏面にネジ止め固定されたフランジにして、該フランジ１０の円筒部１０ａの下端には前記ステップ支軸５の凹み部が嵌合されネジ５ｃによって固定されている。また、フランジ１０には油圧シリンダ２のロッド２ｃが挿通する孔１０ｂが開口されている。なお、１１ａは背凭れにしてパイプによって座部１１ｂに取付けられている。
【００２４】
次に、組み立て状態について説明するに、基台３の開口部３ａにロッド２ｃを挿通した状態において基台３は油圧シリンダ２のシリンダ２ｂに固定する。次いで、椅子本体１１の座部１１ｂの裏面にフランジ１０をネジ止め固定する。この状態においてロッド２ｃの上端部にステップ支軸５、スラストワッシャー１２、ステップ取付板７、スラストワッシャー１３を挿通した状態で、ロッド２ｃに固定されたストッパーピン２ｄをフランジ１０の溝１０ｃを係合し、椅子本体１１とロッド２ｃとが一体的に回転可能状態とする。
【００２５】
次いで、ステップ支軸５をフランジ１０にネジ止めすることで、ステップ取付板７はフランジ１０に対してロックピン８のリング状突条８ｂがステップ支軸５のリング状溝５ａに位置する時にはステップ取付板７（ステップ６）はフランジ１０に対して回転可能となり、また、リング状突条８ｂがステップ支軸５の凹部５ｂに係合されている位置では椅子本体１１を回転することで、ステップ支軸５とステップ取付板７（ステップ６）とは一体に回転することとなる。
【００２６】
次に、前記した構成に基づいて動作について説明するに、被施術者の椅子への導入時には図８に示すように椅子本体１に対してステップ６を略９０度の位置とすることで、座部１１ａの前方にはステップ６が無いことで通常の椅子に座るのと同様に座り易くなり、また、車椅子による椅子への導入もステップ６が無いことから車椅子からの着座も容易となる。
【００２７】
この図８に示す状態とするには、図２、図４の状態であるステップ６と椅子本体１１とが正面である初期位置の方向、理美容院などでは鏡に向いており、かつ、油圧シリンダ２のロッド２ｃを最下降位置まで下降した状態では本発明の要部は図３に示す状態となっている。この状態ではステップ６の水平部が基台３に取付けられているステップガイド４に支持されている。また、ロックピン８の下端は基台３に当接しスプリング９のバネ力に抗してロックピン８は上昇しているので、該ロックピン８のリング状突条８ｂはテップ支軸５のリング状溝５ａに係合されている。
【００２８】
従って、椅子本体１１を回転するとステップ取付板７はスラストワッシャー１２，１３によって現在位置を保持するので、椅子本体１１のみが回転して図８の状態となって被施術者の椅子への導入が容易となる。なお、椅子本体１１の回転に伴ってロッド２ｃも回転する。
【００２９】
そして、施術を行なうためにペダル２ａを踏むと椅子本体１１が上昇し、この上昇に伴ってロックピン８の下端が基台３から離れると、該ロックピン８はスプリング９のバネ力によって下降する（図６参照）。この状態において、ステップ６の水平部はステップガイド４より離れる。そして、椅子本体１１を元の方向に回転するとロックピン８のリング状突条８ｂがステップ支軸５の凹部５ｂに係合され、椅子本体１１とステップ取付板７とは一体となり、従って、椅子本体１１を回転するとステップ６も一体で回転する。
【００３０】
前記ステップ６と椅子本体１１とが一体となった位置で椅子本体１１も鏡に対向した状態となる。この時、ペダル２ａを蹴上げることでロッド２ｃはロックされ固定状態となる。そして、被施術者は鏡を見ながら施術を受けることができる。なお、椅子本体１１とステップ６とが一体となった状態で施術者はペダル２ａを踏み込むことで施術が行い易い高さ位置まで上昇させることができる。
【００３１】
また、椅子本体１１を回転して被施術者を横向きで施術するような場合には、ペダル２ａを押し下げてロッド２ｃのロック状態を解除することで椅子本体１１の回転に伴ってステップ６も回転するので、被施術者は足載せ台６ｂに足を載せた状態での施術が可能となり安楽な姿勢での施術を受けることができる（図５、図７参照）。
【００３２】
なお、前記した図８の状態において、椅子本体１１の座部１１ｂの前方にフットバスを設置することで、被施術者がフットバスに足を入れてマッサージや血行を良くする等の施術を受けることができる。
【００３３】
そして、全ての施術が終了して被施術者が椅子本体から離れる場合には、ペダル２ａを最下降位置まで押し下げるとロッド２ｃが最下降位置まで下降するので、ロックピン８の下端が基台３に当接して上昇するので、該ロックピン８のリング状突条８ｂがステップ支軸５の凹部５ｂからリング状溝５ａに入り込む。この状態においてステップ６におけるパイプ部６ａの上端水平部がステップガイド４に位置していることで、椅子本体１１を回転すると図８の状態に戻り椅子本体１１からの離脱が容易となる。
【００３４】
図９〜図１２は前記した実施例にネイルケアを行なうためのテーブルを設けた実施例であり、前記した実施例と同一符号は同一部材を示し説明は省略する。
この実施例にあっては、前記した実施例ではロックピン８をステップ取付板７に取付ける手段として止め輪８ｂで行なったのに対してネジ８ｃで固定するようにし、また、前記スラストワッシャー１３とフランジ１０との間にテーブル取付板１４ａおよびスラストワッシャー１５を介して回転自在に取付け、該テーブル取付板１４ａの先端に起立された起立体１４ｂの上端に回動自在にテーブル１４を取付けた。
【００３５】
そして、前記ネジ８ｃの頭部は前記テーブル取付板１４ａの立ち上がり平面部と対応し、かつ、該平面部には選択的にネジ８ｃの頭部と係合される切り欠き部１４ｃが形成されている。
【００３６】
次に、前記した構成に基づいて動作を説明するに、油圧シリンダ２のロッド２ｃが最下降位置にあるとロックピン８の下端は基板３に当接しているので、該ロックピン８は上昇位置にある。この上昇位置においてロックピン８にネジ込まれているネジ８ｃの頭部はテーブル取付板１４ａの切り欠き部１４ｃと係合される。この係合状態によりテーブル取付板１４ａはステップ取付板７と一体化されるので、被施術者が椅子本体１１の座部１１ｂに着座する際にテーブル１４に手を付いてもテーブル取付板１４ａが回転することがないので安全に着座することが可能となる。
【００３７】
また、油圧シリンダ２のロッド２ｃが上昇すると、前記したと同様にロックピン８はスプリング９のバネ力によって下降するので、ロックピン８にネジ止めされたネジ８ｃの頭部はテーブル取付板１４ａの切り欠き部１４ｃから離脱する。この離脱状態によりテーブル取付板１４ａは回転可能状態となるので、テーブル１４を被施術者側に近づけたり離したりすることが可能となってネールアートの施術が行い易くなる。
【００３８】
また、前記したようにテーブル１４は起立体１４ｂに対しても回転することから、前記テーブル１４の被施術者との距離調整と相まってネールアート時にテーブル１４に手を載せてのネールアートの施術がより行い易くなるものである。
【００３９】
なお、前記した油圧シリンダ２はペダル２ａを踏み込むことでロッド２ｃが上昇し、ペダル２ａを蹴上げることでロッド２ｃの回転をロックし、さらに、ペダル２ａを最下降位置まで踏み込むとロッド２ｃが下降する足踏み式であるが、公知のモータポンプによりロッドを上下動させる油圧シリンダにも応用できることは勿論のことである。
【符号の説明】
【００４０】
１          脚台
２          油圧シリンダ
２ｃ        ロッド
３          基台
５          ステップ支軸
５ａ        リング状溝
５ｂ        凹部
６          ステップ
７          ステップ取付板
８          ロックピン
【図１】
2011217843.tif 000003
【図２】
2011217843.tif 000004
【図３】
2011217843.tif 000005
【図４】
2011217843.tif 000006
【図５】
2011217843.tif 000007
【図６】
2011217843.tif 000008
【図７】
2011217843.tif 000009
【図８】
2011217843.tif 000010
【図９】
2011217843.tif 000011
【図１０】
2011217843.tif 000012
【図１１】
2011217843.tif 000013
【図１２】
2011217843.tif 000014